(57)【要約】【課題】端末装置に既に割り当て済みの無線リソースの一部を使用して基地局装置から他の端末装置へデータ送信を行う場合に、プリエンプションとスーパーポジションとを動的に切り替えて適用できるようにする技術を提供する。【解決手段】基地局装置は、ｅＭＢＢ用の端末装置１１との通信中に、端末装置１１に既に割り当てられている無線リソースの一部を使用してＵＲＬＬＣ用の端末装置１２へのデータの送信を行う場合に、プリエンプションとスーパーポジションとのいずれを行うかを選択する（Ｓ６３）。基地局装置は、その選択結果に従って、端末装置１１に割り当てられた無線リソースにおける一部の無線リソースを使用して端末装置１２へデータを送信する（Ｓ６４）。更に、基地局装置は、その選択結果に関連する制御情報を、制御チャネルを用いて端末装置１１へ通知する（Ｓ６５）。【選択図】図６
2018182358.tif 000002
【特許請求の範囲】
【請求項１】
第１端末装置との通信中に、前記第１端末装置に既に割り当てられている無線リソースにおける一部の無線リソースを使用して第２端末装置へのデータの送信が行われる場合に、前記一部の無線リソースにおける前記第１端末装置宛てのデータを前記第２端末装置宛てのデータに置き換える第１処理と、前記一部の無線リソースにおける前記第１端末装置宛てのデータに前記第２端末装置宛てのデータを重畳する第２処理とのどちらかを行う処理手段と、
前記一部の無線リソースを使用して、前記第１処理又は前記第２処理が行われたデータを前記第２端末装置へ送信する送信手段と、
前記処理手段による処理結果に関連する制御情報を、制御チャネルを用いて前記第１端末装置へ通知する通知手段と、
を有することを特徴とする基地局装置。
【請求項２】
前記制御情報は、前記一部の無線リソース及び前記処理結果を示す情報を含む
ことを特徴とする請求項１に記載の基地局装置。
【請求項３】
前記処理手段が前記第２処理を行った場合、前記制御情報は、前記第１端末装置が前記基地局装置から受信するデータから前記第２端末装置宛てのデータをキャンセルするために必要な情報を含む
ことを特徴とする請求項１又は２に記載の基地局装置。
【請求項４】
前記処理手段が前記第２処理を行った場合、前記制御情報は、前記一部の無線リソースにおける前記第１端末装置宛てのデータの送信電力と前記第２端末装置宛てのデータの送信電力との比、及び前記第２端末装置宛てのデータの送信に用いられた変調方式を少なくとも含む
ことを特徴とする請求項３に記載の基地局装置。
【請求項５】
前記処理手段は、前記第２端末装置との通信の要求条件に基づいて、前記第１処理又は前記第２処理を行う
ことを特徴とする請求項１乃至４のいずれか１項に記載の基地局装置。
【請求項６】
前記処理手段は、前記第２端末装置との通信に要求される信頼度が閾値より高い場合には、前記第１処理を行い、前記信頼度が前記閾値より高くない場合には、前記第２処理を行う
ことを特徴とする請求項５に記載の基地局装置。
【請求項７】
前記基地局装置と前記第１端末装置との間の距離である第１距離と、前記基地局装置と前記第２端末装置との間の距離である第２距離とを判定する判定手段を更に有し、
前記処理手段は、前記第２距離が前記第１距離より長い場合には、前記第２処理を行い、前記第２距離が前記第１距離より長くない場合には、前記第１処理を行う
ことを特徴とする請求項１乃至４のいずれか１項に記載の基地局装置。
【請求項８】
前記基地局装置と前記第１端末装置との間のパスロスである第１パスロスと、前記基地局装置と前記第２端末装置との間のパスロスである第２パスロスとを判定する判定手段を更に有し、
前記処理手段は、前記第２パスロスが前記第１パスロスより大きい場合には、前記第２処理を行い、前記第２パスロスが前記第１パスロスより大きくない場合には、前記第１処理を行う
ことを特徴とする請求項１乃至４のいずれか１項に記載の基地局装置。
【請求項９】
前記基地局装置と前記第１端末装置との間のパスロスである第１パスロスと、前記基地局装置と前記第２端末装置との間のパスロスである第２パスロスとを判定する判定手段を更に有し、
前記処理手段は、前記第２パスロスが前記第１パスロスに所定のマージンを上乗せしたパスロスより大きい場合には、前記第２処理を行い、前記第２パスロスが前記第１パスロスに前記所定のマージンを上乗せしたパスロスより大きくない場合には、前記第１処理を行う
ことを特徴とする請求項１乃至４のいずれか１項に記載の基地局装置。
【請求項１０】
前記処理手段は、前記第１端末装置に既に割り当てられている無線リソースにおけるそれぞれ異なる一部の無線リソースを使用して、複数の第２端末装置へのデータの送信が行われる場合に、第２端末装置ごとに、前記第１処理と前記第２処理とのいずれを行い、
前記送信手段は、前記処理手段による第２端末装置ごとの処理結果に従って、前記複数の第２端末装置へそれぞれデータを送信する
ことを特徴とする請求項１乃至９のいずれか１項に記載の基地局装置。
【請求項１１】
前記処理手段は、前記第１端末装置に割り当てられている無線リソースの量に対する、前記第２端末装置に割り当てられる無線リソースの量の割合が所定の割合以上であれば、他の処理条件によらず、前記第２処理を行う
ことを特徴とする請求項１から１０のいずれか１項に記載の基地局装置。
【請求項１２】
端末装置であって、
基地局装置から割り当てられた無線リソースを使用して前記基地局装置からデータを受信し、当該受信したデータを記憶手段に蓄積する蓄積手段と、
前記端末装置に割り当てられた無線リソースにおける一部の無線リソースを使用して他の端末装置へのデータの送信が行われた場合に前記基地局装置から通知される制御情報であって、前記一部の無線リソースにおける前記端末装置宛てのデータを前記他の端末装置宛てのデータに置き換える第１処理と、前記一部の無線リソースにおける前記端末装置宛てのデータに前記他の端末装置宛てのデータを重畳する第２処理とのいずれかの処理結果に関連する前記制御情報を、制御チャネルを用いて前記基地局装置から受信する受信手段と、
前記受信手段によって受信された前記制御情報に従って、前記記憶手段に蓄積されたデータの復調処理を行う復調手段と、
を有することを特徴とする端末装置。
【請求項１３】
基地局装置の制御方法であって、
第１端末装置との通信中に、前記第１端末装置に既に割り当てられている無線リソースにおける一部の無線リソースを使用して第２端末装置へのデータの送信が行われる場合に、前記一部の無線リソースにおける前記第１端末装置宛てのデータを前記第２端末装置宛てのデータに置き換える第１処理と、前記一部の無線リソースにおける前記第１端末装置宛てのデータに前記第２端末装置宛てのデータを重畳する第２処理とのどちらかを行う処理工程と、
前記一部の無線リソースを使用して、前記第１処理又は前記第２処理が行われたデータを前記第２端末装置へ送信する送信工程と、
前記処理工程における処理結果に関連する制御情報を、制御チャネルを用いて前記第１端末装置へ通知する通知工程と、
を有することを特徴とする制御方法。
【請求項１４】
端末装置の制御方法であって、
基地局装置から割り当てられた無線リソースを使用して前記基地局装置からデータを受信し、当該受信したデータを記憶手段に蓄積する蓄積工程と、
前記端末装置に割り当てられた無線リソースにおける一部の無線リソースを使用して他の端末装置へのデータの送信が行われた場合に前記基地局装置から通知される制御情報であって、前記一部の無線リソースにおける前記端末装置宛てのデータを前記他の端末装置宛てのデータに置き換える第１処理と、前記一部の無線リソースにおける前記端末装置宛てのデータに前記他の端末装置宛てのデータを重畳する第２処理とのいずれかの処理結果に関連する前記制御情報を、制御チャネルを用いて前記基地局装置から受信する受信工程と、
前記受信工程において受信された前記制御情報に従って、前記記憶手段に蓄積されたデータの復調処理を行う復調工程と、
を有することを特徴とする制御方法。
【請求項１５】
請求項１３又は１４に記載の制御方法の各工程をコンピュータに実行させるためのプログラム。
【発明の詳細な説明】
【技術分野】
【０００１】
本発明は、無線通信システムの無線リソース割り当て技術に関するものである。
【背景技術】
【０００２】
第３世代パートナーシッププロジェクト（３ＧＰＰ）では、現在、New Radio（ＮＲ）と称される第５世代のセルラ通信システムの規格化が進められている。ＮＲでは、高速・大容量の通信（ｅＭＢＢ：enhanced Mobile Broadband）だけでなく、高信頼・低遅延の通信（ＵＲＬＬＣ：Ultra-Reliable and Low Latency Communications）もサポートすることが想定されている。特に、下りリンクでＵＲＬＬＣを実現するために、ｅＭＢＢ通信中にＵＲＬＬＣが割り込むプリエンプション（preemption）と称される仕組みが検討されている（非特許文献１及び２参照）。
【先行技術文献】
【非特許文献】
【０００３】
【非特許文献１】Samsung，Preemption-based multiplexing between eMBB and URLLC for DL，3GPP TSG-RAN WG1 NR Ad-Hoc Meeting，R1-1700966，2017年1月16〜20日
【非特許文献２】Samsung，Evaluation Results of Superposition for Multiplexing eMBB and URLLC，3GPP TSG-RAN WG1 NR Ad-Hoc Meeting，R1-1700969，2017年1月16〜20日
【発明の概要】
【発明が解決しようとする課題】
【０００４】
プリエンプションは、ｅＭＢＢ用の端末装置へ送信されるデータの間引き（パンクチャ）を行うことに起因して、当該端末装置の受信性能（例えば、パケット誤り率）を劣化させうる。このような受信性能の劣化を低減するために、ｅＭＢＢ用の端末装置宛てのデータにＵＲＬＬＣ用の端末装置宛てのデータを重畳するスーパーポジション（superposition）と称される仕組みも検討されている（非特許文献２参照）。一方で、スーパーポジションでは、ＵＲＬＬＣ用の端末装置における復調処理に高度な信号処理が必要となる場合がある。このため、ＵＲＬＬＣ用の端末装置において低遅延での復調を実現するためには、スーパーポジションではなくプリエンプションを適用する方が望ましい場合もある。
【０００５】
本発明は、上述の課題に鑑みてなされたものである。本発明は、端末装置に既に割り当て済みの無線リソースの一部を使用して基地局装置から他の端末装置へデータ送信を行う場合に、プリエンプションとスーパーポジションとを動的に切り替えて適用できるようにする技術を提供することを目的としている。
【課題を解決するための手段】
【０００６】
本発明の一態様の係る基地局装置は、第１端末装置との通信中に、前記第１端末装置に既に割り当てられている無線リソースにおける一部の無線リソースを使用して第２端末装置へのデータの送信が行われる場合に、前記一部の無線リソースにおける前記第１端末装置宛てのデータを前記第２端末装置宛てのデータに置き換える第１処理と、前記一部の無線リソースにおける前記第１端末装置宛てのデータに前記第２端末装置宛てのデータを重畳する第２処理とのどちらかを行う処理手段と、前記一部の無線リソースを使用して、前記第１処理又は前記第２処理が行われたデータを前記第２端末装置へ送信する送信手段と、前記処理手段による処理結果に関連する制御情報を、制御チャネルを用いて前記第１端末装置へ通知する通知手段と、を有することを特徴とする。
【０００７】
本発明の一態様の係る端末装置は、基地局装置から割り当てられた無線リソースを使用して前記基地局装置からデータを受信し、当該受信したデータを記憶手段に蓄積する蓄積手段と、前記端末装置に割り当てられた無線リソースにおける一部の無線リソースを使用して他の端末装置へのデータの送信が行われた場合に前記基地局装置から通知される制御情報であって、前記一部の無線リソースにおける前記端末装置宛てのデータを前記他の端末装置宛てのデータに置き換える第１処理と、前記一部の無線リソースにおける前記端末装置宛てのデータに前記他の端末装置宛てのデータを重畳する第２処理とのいずれかの処理結果に関連する前記制御情報を、制御チャネルを用いて前記基地局装置から受信する受信手段と、前記受信手段によって受信された前記制御情報に従って、前記記憶手段に蓄積されたデータの復調処理を行う復調手段と、を有することを特徴とする。
【発明の効果】
【０００８】
本発明によれば、端末装置に既に割り当て済みの無線リソースの一部を使用して基地局装置から他の端末装置へデータ送信を行う場合に、プリエンプションとスーパーポジションとを動的に切り替えて適用することが可能になる。
【図面の簡単な説明】
【０００９】
【図１】無線通信システムの構成例を示す図
【図２】ｅＭＢＢ用の端末装置との通信に対する割り込みの例を示す図
【図３】基地局装置及び端末装置のハードウェア構成例を示すブロック図
【図４】基地局装置の機能構成例を示すブロック図
【図５】端末装置の機能構成例を示すブロック図
【図６】基地局装置によって実行される処理の手順を示すフローチャート
【図７】プリエンプション又はスーパーポジションの選択例を示す図
【図８】ｅＭＢＢ用の端末装置によって実行される処理の手順を示すフローチャート
【図９】プリエンプション又はスーパーポジションの選択例を示す図
【図１０】ｅＭＢＢ用の端末装置との通信に対する割り込みの例を示す図
【図１１】プリエンプション又はスーパーポジションの選択例を示す図
【発明を実施するための形態】
【００１０】
以下、本発明の例示的な実施形態について図面を参照して説明する。なお、以下の各図においては、実施形態の説明に必要ではない構成要素については図から省略する。
【００１１】
［第１実施形態］
＜システム構成＞
図１は、第１実施形態に係る無線通信システムの構成例を示す図である。本実施形態の無線通信システムは、セル１００を形成する基地局装置１０、及び複数の端末装置１１〜１３を含んで構成される。図１の例では、基地局装置１０が形成するセル１００内に３つの端末装置１１〜１３が存在しているが、セル１００内には任意の数の端末装置が存在してもよい。
【００１２】
基地局装置１０と端末装置１１〜１３との間の通信は、基地局装置１０によって端末装置１１〜１３に対して割り当てられる無線リソースを用いて行われる。基地局装置１０は、端末装置１１〜１３から基地局装置１０の方向の上りリンクの通信及び基地局装置１０から端末装置１１〜１３の方向の下りリンクの通信のそれぞれについて、無線リソースの割り当てを行う。割り当てられる無線リソースは、例えば、時間及び周波数によって指定され、空間多重が使用される場合には、更に空間（空間レイヤ）によって指定されてもよい。
【００１３】
本実施形態では、端末装置１１は、高速・大容量の通信（ｅＭＢＢ）を行う端末装置（第１端末装置）の一例であり、端末装置１２，１３は、高信頼・低遅延の通信（ＵＲＬＬＣ）を行う端末装置（第２端末装置）の一例である。端末装置１１〜１３は、スマートフォンやタブレット端末等のモバイルデバイスでありうる。なお、ＵＲＬＬＣサービスには自動運転や遠隔医療等のサービスも想定されうるため、端末装置１２，１３は、例えば、自動車（自動車に搭載された通信デバイス）であってもよい。
【００１４】
基地局装置１０は、ｅＭＢＢ用の端末装置（例えば端末装置１１）との通信中にＵＲＬＬＣ用の端末装置（例えば端末装置１２，１３）との通信を開始する場合、ｅＭＢＢ用の端末装置に既に割り当てた無線リソースの一部を使用して、ＵＲＬＬＣ用の端末装置との通信を行う（即ち、ＵＲＬＬＣ用の端末装置との通信をｅＭＢＢ用の端末装置との通信に割り込ませる）場合がある。
【００１５】
ここで、図２は、ｅＭＢＢ用の端末装置との通信に対する割り込みの例を示す図であり、ｅＭＢＢ用の端末装置である端末装置１１との通信中に、ＵＲＬＬＣ用の端末装置である端末装置１２との通信による割り込みが行われる例を示している。図２の例では、基地局装置１０は、端末装置１１へのデータ送信のスケジューリングを行うことで、無線リソース２０を端末装置１１に割り当てて、無線リソース２０を使用して端末装置１１へのデータ送信を開始する。なお、当該スケジューリングの結果は、スケジューリング情報２１として基地局装置１０から端末装置１１へ通知される。スケジューリング情報２１の通知は、時間‐周波数領域において図２に示す領域に限定されず、その他の領域の無線リソースを使用して行われてもよい。その後、端末装置１１との通信中に端末装置１２との通信の要求が生じると、基地局装置１０は、端末装置１１に対して割り当てた無線リソース２０における一部の無線リソース２５を使用して、端末装置１２へデータを送信する。なお、基地局装置１０は、データ送信の開始前に、当該データ送信に関するスケジューリング情報２６を、無線リソース２０とは異なる周波数の無線リソースを使用して端末装置１２へ通知する。スケジューリング情報２６の通知は、時間‐周波数領域において図２に示す領域に限定されず、その他の領域の無線リソースを使用して行われてもよい。
【００１６】
基地局装置１０は、ｅＭＢＢ用の端末装置（端末装置１１）との通信に対する上述のような割り込み処理によって、ＵＲＬＬＣ用の端末装置（端末装置１２）との通信を短時間で開始できる。本実施形態では、ｅＭＢＢ用の端末装置（端末装置１１）との通信に対する割り込み処理は、プリエンプション（preemption）又はスーパーポジション（superposition）と称される仕組みによって実現される。プリエンプションは、ｅＭＢＢ用の端末装置（第１端末装置）宛てのデータをＵＲＬＬＣ用の端末装置（第２端末装置）宛てのデータに置き換える処理（第１処理）に相当する。スーパーポジションは、ｅＭＢＢ用の端末装置（第１端末装置）宛てのデータにＵＲＬＬＣ用の端末装置（第２端末装置）宛てのデータを重畳する処理（第２処理）に相当する。
【００１７】
上述のように、プリエンプションは、ｅＭＢＢ用の端末装置へ送信されるデータの間引き（パンクチャ）を行うことに起因して、当該ｅＭＢＢ用の端末装置の受信性能を劣化させうる。このため、割り込み処理においてプリエンプションではなくスーパーポジションを適用することによって、ｅＭＢＢ用の端末装置の受信性能に与える影響を低減できる。一方で、スーパーポジションでは、ＵＲＬＬＣ用の端末装置による復調処理において、ＳＩＣ（逐次干渉キャンセル）等の高度な信号処理（干渉除去処理）が必要となる場合がある。このため、ＵＲＬＬＣ用の端末装置における低遅延での復調を実現するためには、ＵＲＬＬＣ用の端末装置との通信にスーパーポジションではなくプリエンプションを適用する方が望ましい場合もある。
【００１８】
そこで、本実施形態では、ｅＭＢＢ用の端末装置に既に割り当て済みの無線リソースの一部を使用して基地局装置１０からＵＲＬＬＣ用の端末装置へデータ送信を行う場合に、プリエンプションとスーパーポジションとを動的に切り替えて適用できるようにする。具体的には、基地局装置１０は、ｅＭＢＢ用の端末装置（端末装置１１）との通信中に、端末装置１１に既に割り当てられている無線リソースの一部を使用してＵＲＬＬＣ用の端末装置（端末装置１２）へのデータの送信を行う場合に、当該一部の無線リソースにおいてプリエンプション（第１処理）とスーパーポジション（第２処理）とのいずれかを行う。基地局装置１０は、プリエンプション又はスーパーポジションが行われたデータを、端末装置１１に割り当てられた無線リソース（無線リソース２０）における一部の無線リソース（無線リソース２５）を使用して端末装置１２へ送信する。更に、基地局装置１０は、その処理結果に関連する制御情報を、制御チャネルを用いて端末装置１１へ通知する。
【００１９】
基地局装置１０は、例えば、通信中の端末装置１１に対してスケジューリングしたデータ送信の完了後に（例えば、１回のスケジューリングによるパケット（スロット）の送信が完了した後に）、上記の処理結果に関連する制御情報を端末装置１１へ通知する。図２の例では、基地局装置１０は、無線リソース２０を用いたデータ送信の完了直後に、無線リソース２０と同じ周波数の無線リソース（制御チャネル）を使用して制御情報２２を通知している。これにより、端末装置１１は、プリエンプション及びスーパーポジションのいずれかの処理が行われたのかを、基地局装置１０から通知された制御情報２２に基づいて把握できる。その結果、端末装置１１は、受信したデータの復調処理を適切に行うことが可能になる。なお、制御情報２２の通知は、制御情報２２の通知用に予め定められた、特定の制御チャネル（無線リソース）を用いて行われる。本実施形態では、上述のように、無線リソース２０と同じ周波数であって、かつ、データ送信の完了直後の無線リソースが、そのような制御チャネルとして設定される。ただし、制御情報２２の通知は、無線リソース２０とは異なる周波数の無線リソースを使用して行われてもよいし、データ送信の完了直後とは異なるタイミングに行われてもよい。
【００２０】
このようにして、端末装置１２との通信のために端末装置１１との通信に対して割り込み処理を行う場合に、プリエンプションとスーパーポジションとを動的に切り替えて適用することが可能になる。以下では、上述のような処理を実現するための基地局装置１０及び端末装置１１の構成例、及び各装置によって実行される処理の具体的な手順の例について説明する。
【００２１】
＜装置構成＞
図３は、基地局装置及び端末装置のハードウェア構成例を示すブロック図である。基地局装置１０及び端末装置１１は、図３に示すようなハードウェア構成を有し、例えば、ＣＰＵ３１、ＲＯＭ３２、ＲＡＭ３３、外部記憶装置３４、及び通信装置３５を有する。なお、端末装置１２，１３は端末装置１１と同様の構成を有しうる。
【００２２】
基地局装置１０及び端末装置１１では、例えばＲＯＭ３２、ＲＡＭ３３及び外部記憶装置３４のいずれかに格納された、基地局装置１０及び端末装置１１の各機能を実現するプログラムがＣＰＵ３１によって実行される。なお、ＣＰＵ３１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２３】
基地局装置１０（端末装置１１）は、例えばＣＰＵ３１により通信装置３５を制御して、端末装置１１（基地局装置１０）との間の通信を行う。なお、図２では、基地局装置１０及び端末装置１１は、１つの通信装置３５を有するように示されているが、これに限定されない。例えば、端末装置１１は、２つ以上の基地局装置と通信するために２つ以上の通信装置３５を有してもよいし、更に、他のシステムでの通信のための別の通信装置３５を有してもよい。
【００２４】
なお、基地局装置１０及び端末装置１１は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２５】
図４は、基地局装置の機能構成例を示すブロック図である。基地局装置１０の各機能は、例えば図３のハードウェアによって実現される論理的な機能であり、ＣＰＵ３１がＲＯＭ３２等に格納されたプログラムを実行することによって実現されうる。本実施形態では、基地局装置１０は、無線通信部４１、スケジューリング部４２、データ送信部４３、及び通知送信部４４を有する。
【００２６】
無線通信部４１は、端末装置１１〜１３等の端末装置との間で、セルラ通信規格に従った通信により無線信号の送受信を行う。スケジューリング部４２は、各端末装置との間の上りリンクの通信及び下りリンクの通信のスケジューリングを行う。なお、以下では、下りリンクの通信についてのみ説明する。スケジューリングは、（例えば、ロングタームエボリューション（ＬＴＥ）におけるＴＴＩ（送信時間間隔）のような）スケジューリング期間ごとに行われてもよい。また、１回のスケジューリングにより、対応するスケジューリング期間内で１つ以上のスロット（又はサブフレーム）の送信が行われてもよい。
【００２７】
スケジューリング部４２は、ＵＲＬＬＣ用の端末装置（端末装置１２，１３）へ下りリンクのデータ送信を行う際に、ｅＭＢＢ用の端末装置（端末装置１１）に既に割り当てられている無線リソースの一部を用いたデータ送信（割り込み処理）のスケジューリングを行いうる。その場合、スケジューリング部４２は、ＵＲＬＬＣ用の端末装置へのデータ送信において、プリエンプション（第１処理）とスーパーポジション（第２処理）とのいずれを行うかを決定（選択）する。プリエンプション又はスーパーポジションの決定は、例えば、後述するように、ＵＲＬＬＣ用の端末装置の通信条件（例えば、当該端末装置との通信の要求条件、又は当該端末装置までの距離）に基づいて行われうる。
【００２８】
データ送信部４３は、スケジューリング部４２によるスケジューリング結果（及びプリエンプション又はスーパーポジションの決定）に従って、無線通信部４１を介して、各端末装置へのデータ送信を行う。通知送信部４４は、プリエンプション又はスーパーポジションの処理結果に関連する制御情報（割り込み処理に関連する制御情報）を、無線通信部４１を介して、割り込み処理の影響を受けるｅＭＢＢ用の端末装置へ送信する。制御情報の通知は、上述のように特定の制御チャネル（無線リソース）を用いて行われうる。
【００２９】
図５は、端末装置の機能構成例を示すブロック図である。端末装置１１の各機能は、例えば図３のハードウェアによって実現される論理的な機能であり、ＣＰＵ３１がＲＯＭ３２等に格納されたプログラムを実行することによって実現されうる。本実施形態では、端末装置１１は、無線通信部５１、データ受信部５２、データ記憶部５３、通知受信部５４、及び復調処理部５５を有する。
【００３０】
無線通信部５１は、基地局装置１０等の基地局装置との間で、セルラ通信規格に従った通信により無線信号の送受信を行う。データ受信部５２は、無線通信部５１を介して、基地局装置からスケジューリング情報を受信するとともに、受信したスケジューリング情報に従って、当該基地局装置によって割り当てられた無線リソースを使用して当該基地局装置からデータを受信する。データ記憶部５３には、データ受信部５２によって受信されたデータが格納される。データ受信部５２は、スケジューリング期間ごとに基地局装置からデータを受信すると、受信したデータをデータ記憶部５３に蓄積する。
【００３１】
通知受信部５４は、上述の割り込み処理が行われた場合に基地局装置（通知送信部４４）から通知される制御情報を、無線通信部５１を介して当該基地局装置から受信する。通知受信部５４は、基地局装置からデータが受信される際には、制御情報の通知が受信可能となるように、制御情報の通知に用いられる特定の制御チャネル（無線リソース）をモニタリングする。復調処理部５５は、通知受信部５４によって制御情報が受信された場合に、当該制御情報に従って、スケジューリング期間ごとに、データ記憶部５３に蓄積されたデータの復調処理を行う。
【００３２】
＜基地局装置の処理手順＞
図６は、基地局装置によって実行される処理の手順を示すフローチャートである。本実施形態の基地局装置１０は、ｅＭＢＢ用の端末装置である端末装置１１との通信中にＵＲＬＬＣ用の端末装置（本例では端末装置１２）へのデータ送信の要求が生じると、図６の手順に従った処理を実行する。
【００３３】
まずＳ６１で、基地局装置１０は、端末装置１２へのデータ送信をスケジューリングする。本例では、図２に示されるように、端末装置１１に割り当てられた無線リソース２０における一部の無線リソース２５を用いたデータ送信がスケジューリングされた場合を想定する。
【００３４】
次にＳ６２で、基地局装置１０は、端末装置１２の通信条件を取得する。更にＳ６３で、基地局装置１０は、取得した通信条件に基づいて、無線リソース２５を用いた端末装置１２へのデータ送信において、プリエンプション（第１処理）とスーパーポジション（第２処理）とのいずれを行うかを決定（選択）する。
【００３５】
プリエンプション又はスーパーポジションの選択処理は、例えば、端末装置１２との通信の要求条件に基づいて行われうる。要求条件としては、端末装置１２との通信に要求される信頼度が用いられうる。基地局装置１０は、端末装置１２との通信に要求される信頼度が所定の閾値より高い場合に、プリエンプションを選択し、信頼度が閾値より高くない場合に、スーパーポジションを選択しうる。このように、端末装置１２との通信に高い信頼度が要求される場合には、プリエンプションを選択することで、端末装置１２の受信性能を高めることが可能である。一方、端末装置１２との通信に高い信頼度が要求されていない場合には、スーパーポジションを選択することで、割り込み処理に起因した端末装置１１の受信性能の劣化（例えば、パケット誤り率の上昇）を軽減できる。
【００３６】
あるいは、プリエンプション又はスーパーポジションの選択処理は、基地局装置１０と端末装置１２との距離に基づいて行われてもよい。この場合、基地局装置１０は、基地局装置１０と端末装置１１との間の距離（第１距離）と、基地局装置１０と端末装置１２との間の距離（第２距離）とを判定する。更に、基地局装置１０は、図７に示すように、第２距離が第１距離より長い場合（図７（Ａ）の場合）には、スーパーポジションを選択し、第２距離が第１距離より長くない場合（図７（Ｂ）の場合）には、プリエンプションを選択する。
【００３７】
また、距離の指標としてパスロスが用いられてもよい。この場合、基地局装置１０は、基地局装置１０と端末装置１１との間のパスロス（第１パスロス）と、基地局装置１０と端末装置１２との間のパスロス（第２パスロス）とを判定する。更に、基地局装置１０は、第２パスロスが第１パスロスより大きい場合（図７（Ａ）の場合）には、スーパーポジションを選択し、第２パスロスが第１パスロスより大きくない場合（図７（Ｂ）の場合）には、プリエンプションを選択する。
【００３８】
ここで、割り込み処理としてスーパーポジションが行われた場合には、基地局装置１０に近い端末装置へのデータの送信電力よりも、基地局装置１０から遠い端末装置へのデータの送信電力が高く設定される。また、基地局装置１０に近い端末装置では、ＳＩＣ等の干渉除去処理を伴って復調処理が行われ、基地局装置１０から遠い端末装置では、干渉除去処理を必要とせずに通常の復調処理が行われる。
【００３９】
上述の距離（パスロス）に基づく選択処理によれば、ＵＲＬＬＣ用の端末装置である端末装置１２が端末装置１１よりも基地局装置１０から遠い場合に限り、スーパーポジションが適用される。この場合、スーパーポジションを適用したとしても、端末装置１２において干渉除去処理を必要とせずに復調処理を行えるため、低遅延での復調を実現できる。更に、割り込み処理に起因した端末装置１１の受信性能の劣化（例えば、パケット誤り率の上昇）を軽減できる。一方、端末装置１２が端末装置１１よりも基地局装置１０に近い場合には、端末装置１２における干渉除去処理が必要にならないよう、プリエンプションが適用される。これにより、端末装置１２の受信性能を高めることも可能である。
【００４０】
なお、スーパーポジションを選択した場合には、端末装置１１及び端末装置１２の両方で受信スロット（パケット）に誤りが生じる可能性が高まる。このような誤りが生じる可能性を低くするために、上述の距離（パスロス）に基づく選択処理において、端末装置１１に対応するパスロスと端末装置１２に対応するパスロスとの間に十分な差がある場合にのみ、スーパーポジションを適用してもよい。具体的には、基地局装置１０は、第２パスロスが、第１パスロスに所定のマージンを上乗せしたパスロスより大きい場合には、スーパーポジションを選択し、大きくない場合には、プリエンプションを選択してもよい。
【００４１】
図６の説明に戻り、次にＳ６４で、基地局装置１０は、Ｓ６１におけるスケジューリング結果及びＳ６３におけるプリエンプション又はスーパーポジションの選択結果に従って、端末装置１２へデータを送信する。基地局装置１０は、プリエンプションを選択した場合には、無線リソース２５において、端末装置１１宛てのデータを間引いて端末装置１２宛てのデータに置き換えて、端末装置１２宛てのデータを送信する。一方、基地局装置１０は、スーパーポジションを選択した場合には、例えばパスロスの判定結果に基づいて、端末装置１１宛てのデータと端末装置１２宛てのデータについての送信電力及び変調方式を決定し、各端末装置宛てのデータを重畳して送信する。
【００４２】
その後、無線リソース２０を用いた端末装置１１へのデータ送信が完了すると、Ｓ６５で、基地局装置１０は、Ｓ６３における選択処理の結果に関連する制御情報（図２の制御情報２２）を、特定の制御チャネルを用いて端末装置１１へ通知し、処理を終了する。
【００４３】
＜端末装置の処理手順＞
図８は、ｅＭＢＢ用の端末装置によって実行される処理の手順を示すフローチャートである。端末装置１１は、基地局装置１０からスケジューリング情報（図２のスケジューリング情報２１）を受信すると、図８の手順に従った処理を実行する。
【００４４】
まずＳ８１で、端末装置１１は、受信したスケジューリング情報２１に従って、基地局装置１０によって割り当てられた無線リソース２０を使用して、基地局装置１０からデータを受信する。更にＳ８２で、端末装置１１は、スケジューリング情報２１に対応するスケジューリング期間における受信データをデータ記憶部５３に蓄積する。
【００４５】
その後、Ｓ８３で、端末装置１１は、制御情報の通知に用いられる特定の制御チャネル（無線リソース）による制御情報の受信を試みて、基地局装置１０から制御情報を受信したか否かを判定する。制御情報を受信した場合には、端末装置１１は、処理をＳ８４へ進め、受信した制御情報に従って、データ記憶部５３に蓄積されたデータの復調処理を行い、処理を終了する。一方、制御情報を受信しなかった場合には、端末装置１１は、処理をＳ８５へ進め、データ記憶部５３に蓄積されたデータに対して通常の復調処理を行い、処理を終了する。
【００４６】
Ｓ８３において受信される制御情報（制御情報２２）には、例えば、割り込み処理が行われた無線リソース（無線リソース２５）を示す情報と、プリエンプション又はスーパーポジションの選択結果を示す情報が含まれうる。端末装置１１は、制御情報がプリエンプションの選択を示す場合には、Ｓ８４において、当該制御情報が示す無線リソースで受信されたデータを間引いて、復調処理を行いうる。
【００４７】
また、割り込み処理としてスーパーポジションが選択された場合には、制御情報には、更に、端末装置１１が基地局装置１０から受信するデータから、ＵＲＬＬＣ用の端末装置（端末装置１２）宛てのデータをキャンセルするために必要な情報が含まれうる。そのような情報には、例えば、割り込み処理が行われた無線リソースにおける、端末装置１１（ｅＭＢＢ用の端末装置）宛てのデータの送信電力とＵＲＬＬＣ用の端末装置宛てのデータの送信電力との比、及びＵＲＬＬＣ用の端末装置宛てのデータの送信に用いられた変調方式が少なくとも含まれる。端末装置１１は、制御情報がスーパーポジションの選択を示す場合には、当該制御情報に基づいて、当該制御情報が示す無線リソースで受信されたデータから、ＵＲＬＬＣ用の端末装置宛てのデータをキャンセルするための干渉除去処理（例えば、ＳＩＣ）を実行しうる。端末装置１１は、当該制御情報が示す無線リソース以外の無線リソースで受信されたデータについては通常の復調処理を行いうる。
【００４８】
以上のように、本実施形態によれば、端末装置１１へ既に割り当て済みの無線リソースの一部を使用して基地局装置１０から端末装置１２へデータ送信を行う場合に、プリエンプションとスーパーポジションとを動的に切り替えて適用することが可能になる。
【００４９】
［第２実施形態］
第１実施形態では、基地局装置１０が、ｅＭＢＢ用の端末装置１１との通信に対して１つのＵＲＬＬＣ用の端末装置１２との通信の割り込み処理を行う例を示している。第２実施形態では、ＵＲＬＬＣ用の複数の端末装置１２，１３との通信の割り込み処理を行う例について説明する。以下では、第１実施形態と共通する部分については説明を省略し、相違する部分について説明する。
【００５０】
図９は、本実施形態に係る、基地局装置１０が、ｅＭＢＢ用の端末装置１１との通信中にＵＲＬＬＣ用の複数の端末装置１２，１３との通信の割り込み処理を行う場合の、プリエンプション又はスーパーポジションの選択例を示す図である。また、図１０は、図９に対応する、端末装置１１に割り当てられた無線リソース２０の一部のリソースである無線リソース２５，２７を使用した、端末装置１２，１３との通信の割り込みの例を示す図である。
【００５１】
本実施形態では、基地局装置１０は、ｅＭＢＢ用の端末装置１１に既に割り当てられている無線リソース２０におけるそれぞれ異なる一部の無線リソース２５，２７を使用して、ＵＲＬＬＣ用の複数の端末装置１２，１３へのデータの送信を行う場合、ＵＲＬＬＣ用の端末装置ごとに、プリエンプションとスーパーポジションとのいずれを行うかを選択する。図９の例では、基地局装置１０は、端末装置１２は端末装置１１よりも基地局装置１０から遠い位置にある（パスロスが大きい）ため、端末装置１２との通信については、第１実施形態と同様の基準により、スーパーポジションを選択する。一方、基地局装置１０は、端末装置１３は端末装置１１よりも基地局装置１０に近い位置にある（パスロスが小さい）ため、端末装置１３との通信については、第１実施形態と同様の基準により、プリエンプションを選択する。
【００５２】
なお、基地局装置１０は、端末装置１２，１３へのそれぞれへのデータ送信の開始前に、当該データ送信に関するスケジューリング情報２６，２８を、無線リソース２０とは異なる周波数の無線リソースを使用して端末装置１２，１３へ通知する。このスケジューリング情報２６，２８の通知は、第１実施形態と同様、時間‐周波数領域において図１０に示す領域に限定されず、その他の領域の無線リソースを使用して行われてもよい。
【００５３】
以上のように、本実施形態によれば、端末装置１１へ既に割り当て済みの無線リソースの一部を使用して複数の端末装置１２，１３へデータ送信を行う場合にも、プリエンプションとスーパーポジションとを動的に切り替えて適用することが可能になる。
【００５４】
［第３実施形態］
第３実施形態では、基地局装置１０が、ｅＭＢＢ用の端末装置１１との通信に対して１つのＵＲＬＬＣ用の端末装置１２との通信の割り込み処理を行う場合に、第１実施形態とは異なる選択基準でプリエンプション又はスーパーポジションの選択を行う例について説明する。本実施形態では、基地局装置１０は、ｅＭＢＢ用の端末装置１１に既に割り当てられている無線リソースの量に対する、ＵＲＬＬＣ用の端末装置１２に割り当てられる無線リソースの量の割合に基づいて、プリエンプション又はスーパーポジションの選択を行う。以下では、第１実施形態と共通する部分については説明を省略し、相違する部分について説明する。
【００５５】
図１１は、本実施形態に係る、端末装置１１に割り当てられた無線リソース２０の一部のリソースである無線リソース２５を使用した、端末装置１２との通信の割り込みの例を示す図である。図１１（Ａ）は、基地局装置１０は、端末装置１１に既に割り当てられている無線リソース２０の量に対する、端末装置１２に割り当てられる無線リソース２５の量の割合が所定の割合以上ではないため、スーパーポジションを選択する例を示している。一方、図１１（Ｂ）は、基地局装置１０は、端末装置１１に既に割り当てられている無線リソース２０の量に対する、端末装置１２に割り当てられる無線リソース２５の量の割合が所定の割合以上であるため、プリエンプションを選択する例を示している。
【００５６】
このように、本実施形態では、ｅＭＢＢ用の端末装置１１に既に割り当てられている無線リソースの量に対する、ＵＲＬＬＣ用の端末装置１２に割り当てられる無線リソースの量の割合が所定の割合以上であれば、他の選択条件によらず、スーパーポジションを選択する。これにより、プリエンプションに使用される端末装置１１の無線リソースの量が多すぎることで、端末装置１１の受信性能の劣化（例えば、パケット誤り率の上昇）が不必要に大きくなることを防止することが可能である。なお、本実施形態は、第１及び第２実施形態と組み合わせることが可能である。
【符号の説明】
【００５７】
１０：基地局装置、１１〜１３：端末装置
４１：無線通信部、４２：スケジューリング部、４３：データ送信部、４４：通知送信部
５１：無線通信部、５２：データ受信部、５３：データ記憶部、５４：通知受信部
５５：復調処理部
【図１】
2018182358.tif 000003
【図２】
2018182358.tif 000004
【図３】
2018182358.tif 000005
【図４】
2018182358.tif 000006
【図５】
2018182358.tif 000007
【図６】
2018182358.tif 000008
【図７】
2018182358.tif 000009
【図８】
2018182358.tif 000010
【図９】
2018182358.tif 000011
【図１０】
2018182358.tif 000012
【図１１】
2018182358.tif 000013